(57)【要約】【課題】スペーサーの表面、特に、前面板、背面板及び支持枠の何れとも接しないスペーサーの表面への異物の付着や傷の発生を防止することが可能なスペーサー用梱包ケースを提供することである。【解決手段】本発明のスペーサー用梱包ケースは、電界放射型ディスプレイを構成する前面板、背面板及び支持枠に接触させて２枚の基板の間隔を一定に保つ直方体状のスペーサーを搬送するためのスペーサー用梱包ケースにおいて、梱包ケースが複数のスペーサーを保持するための複数の保持部を有し、且つ、梱包ケースとスペーサーとの接触面積がスペーサーの表面積全体の５０％以下となるように保持することを特徴とする。【選択図】図３
2007172899.tif 000002
【特許請求の範囲】
【請求項１】
電界放射型ディスプレイを構成する前面板、背面板及び支持枠に接触させて２枚の基板の間隔を一定に保つ直方体状のスペーサーを搬送するためのスペーサー用梱包ケースにおいて、梱包ケースが複数のスペーサーを保持するための複数の保持部を有し、且つ、梱包ケースとスペーサーとの接触面積がスペーサーの表面積全体の５０％以下となるように保持することを特徴とするスペーサー用梱包ケース。
【請求項２】
保持部が縦溝状に形成され、スペーサーの両端部を縦溝に勘合して保持することを特徴とする請求項１記載のスペーサー用梱包ケース。
【請求項３】
直方体状のスペーサー面の中で、電界放射型ディスプレイの前面板、背面板及び支持枠の何れとも接しないスペーサー表面が、梱包ケースと接触しないように保持することを特徴とする請求項１または２に記載のスペーサー用梱包ケース。
【請求項４】
スペーサーを湾曲させた状態で保持することを特徴とする請求項１〜３のいずれかに記載のスペーサー用梱包ケース。
【請求項５】
スペーサーの湾曲率が０．０１〜８０％となるように保持することを特徴とする請求項１〜４のいずれかに記載のスペーサー用梱包ケース。
【発明の詳細な説明】
【技術分野】
【０００１】
本発明は、スペーサー用梱包ケースに関するものである。
【背景技術】
【０００２】
電界放射型ディスプレイは、薄型軽量で、低電力で表示が鮮明であり、画像の微細化が容易であるため高品位画像が実現でき、フルカラー化が可能であるなど、多くの利点を有するため、今後表示装置として益々普及する傾向にある。
【０００３】
電界放射型ディスプレイは、図１に示すように、透明電極や蛍光体が形成された前面ガラス基板（前面板）１１と、エミッタ電極１２、ゲート電極１３、電子放出素子１４、絶縁膜等が形成された背面ガラス基板（背面板）１５とを対向させて、支持枠１６を介して周囲を真空封止することで作製される。
【０００４】
このような電界放射型ディスプレイにあっては、電子放出素子から放出される電子線を蛍光体にあてることで発光させて映像を映し出すため、ディスプレイ内部は、真空雰囲気に保持されている。そのため、ディスプレイの表示画面が大きくなるに従って、真空容器内部と外部の気圧差により前面板１１と背面板１５とが変形または接触し、画像が表示できなくなる。この変形や接触を防止して前面板１１と背面板１５との間隔を一定に保つ目的で、前面板１１、背面板１５及び支持枠１６に接触するように、２枚のガラス基板の間にスペーサー１７が挿入されている。
【０００５】
通常、スペーサーとしては、特許文献１に示すように、直方体状の形状を有するものが用いられ、また、前面板と背面板に接する部分に相当する厚みが０．０３〜０．３ｍｍ、前面板と背面板の間隔に相当する高さが０．７〜５ｍｍ、ディスプレイの大きさに相当する長さが３０〜２０００ｍｍのサイズを有するものが用いられている。
【０００６】
また、電子線を放出する際に、スペーサーへの電子の帯電による画像特性の低下を抑えるために、特許文献２及び３に示すようなスペーサー表面に導電膜が形成したものや凹凸を形成したものもある。
【特許文献１】特開２００３−３１７６５２号公報
【特許文献２】特開２０００−３１１６０９号公報
【特許文献３】特開２０００−１９５４１３号公報
【特許文献４】登録実用新案第３１０６５１５号公報
【発明の開示】
【発明が解決しようとする課題】
【０００７】
ところで、上記のスペーサーを搬送する場合、搬送中の振動によるスペーサーの破損や移動を防ぐ必要があり、特許文献４には、固定シート上にスペーサーを平行に載置し、その上からシートをかぶせて、スペーサーを上下からシートで挟み込んで固定する梱包ケースが開示されている。
【０００８】
しかしながら、特許文献４に開示されている梱包ケースは、前面板及び背面板と接しない面に、スペーサーを固定するためのシートを密着させてなるため、搬送中にスペーサー表面（表面に膜が形成されている場合も含む）にシートの成分や異物が付着したり、スペーサー上にかぶせたシートを除去する際に傷が発生する。特に、電界放射型ディスプレイの前面板、背面板及び支持枠の何れとも接しないスペーサーの表面に異物、傷が存在すると、その部分に電界集中が起こり、スペーサー周辺の画素において所望の画像特性が得られなくなるという問題が生じる。
【０００９】
本発明の目的は、スペーサーの表面、特に、電界放射型ディスプレイの前面板、背面板及び支持枠の何れとも接しないスペーサーの表面（以後、電界放射型ディスプレイとの非接触面という）への異物の付着や傷の発生を防止することが可能なスペーサー用梱包ケースを提供することである。
【課題を解決するための手段】
【００１０】
本発明のスペーサー用梱包ケースは、電界放射型ディスプレイを構成する前面板、背面板及び支持枠に接触させて２枚の基板の間隔を一定に保つ直方体状のスペーサーを搬送するためのスペーサー用梱包ケースにおいて、梱包ケースが複数のスペーサーを保持するための複数の保持部を有し、且つ、梱包ケースとスペーサーとの接触面積がスペーサーの表面積全体の５０％以下となるように保持することを特徴とする。
【発明の効果】
【００１１】
本発明のスペーサー用梱包ケースは、梱包ケースとスペーサーとの接触面積を小さくできるため、スペーサー表面、特に、電界放射型ディスプレイとの非接触面への異物や傷の付着を防止することできる。それ故、電界放射型ディスプレイ用スペーサー梱包ケースとして好適である。
【発明を実施するための最良の形態】
【００１２】
本発明のスペーサー用梱包ケースは、スペーサーを保持するための複数の保持部を有しているため、搬送中の振動によるスペーサーの脱離を抑制できる。
【００１３】
尚、より効果的にスペーサーの脱離を防止するには、保持部は縦溝状に形成され、スペーサーの両端部を縦溝に嵌合して保持することが好ましい。
【００１４】
また、本発明のスペーサー用梱包ケースは、スペーサー表面との接触面積が、スペーサー表面積全体の５０％以下（好ましくは４０％以下、２０％以下、１０％以下、５％以下、３％以下、特に好ましくは０．１％以下）と小さいため、スペーサー表面への異物の付着や傷の発生を防止することができる。尚、梱包ケースとスペーサーとの接触面積が大きくなると、スペーサー表面、特に、電界放射型ディスプレイとの非接触面に異物が付着したり、傷が発生しやすくなり、電界放射型ディスプレイを作製し点灯した際に、異物や傷が存在する部分に電界集中が起こり、スペーサー周辺の画素において所望の画像特性が得難くなる。
【００１５】
梱包ケースとスペーサー表面との接触面積を小さくするには、直方体状のスペーサーの面の中で、面積の大きい電界放射型ディスプレイとの非接触面を梱包ケースと接触しないようにし、面積の小さい面である前面板、背面板及び支持枠と接するスペーサー表面を梱包ケースと接触させればよい。具体的には、梱包ケースの幅をスペーサーの長さよりも短くするなどして、梱包ケース内で、スペーサーを湾曲させた状態になるように保持させればよい。このようにすることで、搬送中の振動による保持部からのスペーサーの脱離をより効果的に防止することができる。
【００１６】
スペーサーを湾曲させた状態で保持する時の湾曲率は、０．０１〜８０％であることが望ましい。スペーサーの湾曲率が小さくなると、搬送時の振動により、スペーサーが保持部から脱離したり、逆方向に湾曲して隣接するスペーサーと接触して表面に傷が付きやすくなる傾向にあるため、スペーサーの湾曲率の下限値は、０．０１％以上、好ましくは０．１％以上、１％以上、５％以上、特に好ましくは１０％以上にすることが望ましい。一方、スペーサーの湾曲率が大きくなると、スペーサーが破損しやすくなる傾向にあるため、スペーサーの湾曲率の上限値は、８０％以下、好ましくは６０％以下、特に好ましくは４０％以下にすることが望ましい。
【００１７】
また、スペーサーを湾曲させた際に、電界放射型ディスプレイとの非接触面と保持部が接触しないようにするために、保持部と保持部が形成されている梱包ケース側面のなす角度を４５〜８９°に調整することが望ましい。
【００１８】
尚、本発明でいうスペーサーの湾曲率とは、図２及び３に示すように、スペーサーの長さをＬ、スペーサーを梱包ケースに湾曲させて保持した際のスペーサー端部を結ぶ線を線Ａ、線Ａから最も乖離した部分までの距離をｌとした時に、（２×ｌ）／Ｌ×１００で得られる値をいう。
【００１９】
さらに、本発明の梱包ケースは、スペーサーを収納する底蓋体と、底蓋体を覆うために上蓋体からなることが望ましい。このような構成にすることで、スペーサーの清浄性を保つことができる。
【００２０】
また、梱包ケースの材料としては、変形し難い材料であれば、特に制限はなく、プラスチック、発泡スチロール、セラミック及び金属等を用いることができる。但し、スペーサーを保持するための保持部の部分については、衝撃によるスペーサーの破損を防止するために、ゴム、発泡スチロール、スポンジ等の衝撃吸収材を接着剤で張り合わせたり、コーティングを施すことが好ましい。また、上蓋体及び底蓋体の内側についても、上記の衝撃緩衝材を取り付けて、スペーサーを上下から挟み込むようにすることが好ましい。このようにすることで、スペーサーが上下の衝撃緩衝材に押し当てられて固定されることになり、スペーサーの破損をより効果的に防止することができる。
【実施例１】
【００２１】
以下、本発明のスペーサー用梱包ケースを添付図面を参照して説明する。
【００２２】
図２は、梱包ケースに収納するスペーサー２０の斜視図を示すものであり、ｈはスペーサーの高さ、Ｌはスペーサーの長さ、ｔはスペーサーの肉厚をそれぞれ示す。また、面Ｂ及び面Ｂ’は前面板又は背面板と接触し、面Ｃ及び面Ｃ’は支持枠と接触する。
【００２３】
図３は底蓋体と上蓋体からなる梱包ケース３０の横断面図、また、図４は図３のＢ−Ｂ線断面図をそれぞれ示すものである。図３及び４に示すように、内面に衝撃吸収剤３１（全長４７６ｍｍ×幅１４０ｍｍ×厚み３ｍｍ）を取り付けた底蓋体３２（内寸：全長４７６ｍｍ×幅２８０ｍｍ×高さ８．９ｍｍ、外寸：４８２ｍｍ×２８６ｍｍ×１１．９ｍｍ）の保持部３３に、スペーサー３４（全長３００ｍｍ×高さ３ｍｍ×肉厚０．１ｍｍ）を湾曲させて所定枚数収納した後、内面に衝撃吸収剤３１（全長４７６ｍｍ×幅１４０ｍｍ×厚み３ｍｍ）を取り付けた上蓋体３５（内寸：全長４８３ｍｍ×幅２８７ｍｍ×高さ１１．９ｍｍ、外寸：全長４８９ｍｍ×幅２９３ｍｍ×高さ１４．９ｍｍ）をかぶせ、底蓋体３２と上蓋体３５をテープ（図示せず）で止めたものである。尚、このときのスペーサーの湾曲率は３３％であり、梱包ケースとスペーサーとの接触面積はスペーサーの表面積全体の２％であった。
【００２４】
次いで、この梱包ケースを２０ｃｍの高さから落下させた後、梱包ケースを開梱して各スペーサーの収納状態を目視で確認したところ、正規の固定位置からずれたスペーサーはなく、また、スペーサー同士が互いに接触しているものもなかった。また、スペーサー表面の異物や傷の付着を顕微鏡で観察したところ、異物や傷の付着は認められなかった。
【実施例２】
【００２５】
図５はスライド式の梱包ケース５０の横断面図、また、図６は図５のＢ−Ｂ線断面図をそれぞれ示すものである。図５及び図６に示すように、内面に衝撃吸収剤５１（全長４７６ｍｍ×１４０ｍｍ×３ｍｍ）を取り付けた箱体５２（内寸：全長４７６ｍｍ×幅３０３ｍｍ×高さ８．９ｍｍ、外寸：全長４８２ｍｍ×幅３０９ｍｍ×高さ１４．９ｍｍ）側の保持部５３と、押圧体５４（全長４７４ｍｍ×幅２９ｍｍ×高さ８．９ｍｍ）側の保持部５３に、スペーサー５５（全長３００ｍｍ×高さ３ｍｍ×肉厚０．１ｍｍ）を所定枚数保持し、押圧体５４を箱体５２内にスライドして、スペーサー５５を湾曲させた後、箱体５２と押圧体５４をテープ（図示せず）で止めたものである。尚、このときのスペーサーの湾曲率は３３％であり、梱包ケースとスペーサーとの接触面積はスペーサーの表面積全体の２％であった。
【００２６】
次いで、この梱包ケースを２０ｃｍの高さから落下させた後、梱包ケースを開梱して各スペーサーの収納状態を目視で確認したところ、正規の固定位置からずれたスペーサーはなく、また、スペーサー同士が互いに接触しているものもなかった。また、スペーサー表面の異物や傷の付着を顕微鏡で観察したところ、異物や傷の付着は認められなかった。
【図面の簡単な説明】
【００２７】
【図１】電界放射型ディスプレイの概略図を示す説明図である。
【図２】スペーサーを示す説明図である。
【図３】底蓋体と上蓋体からなる梱包ケースを示す横断面図である。
【図４】図３のＢ−Ｂ線断面図である。
【図５】スライド式の梱包ケースを示す横断図である。
【図６】図５のＢ−Ｂ線断面図である。
【符号の説明】
【００２８】
１１  前面ガラス基板
１２  エミッタ電極
１３  ゲート電極
１４  電子放出素子
１５  背面ガラス基板
１６  支持枠
１７、２０、３４、５５、  スペーサー
３０、５０  梱包ケース
３１、５１  衝撃吸収剤
３２  底蓋体
３３、５３  保持部
３５  上蓋体
５２  箱体
５４  押圧体
ｈ  スペーサーの高さ
Ｌ  スペーサーの長さ
ｔ  スペーサーの肉厚
ｌ  スペーサーが線Ａから最も乖離した部分までの距離
【図１】
2007172899.tif 000003
【図２】
2007172899.tif 000004
【図３】
2007172899.tif 000005
【図４】
2007172899.tif 000006
【図５】
2007172899.tif 000007
【図６】
2007172899.tif 000008